(57)【要約】  【構成】  オペレータが開状態で被写界の動画像を撮像している最中に、オペレータ自身の動画像を撮るために蓋体ケースを閉状態に遷移させると、メインＬＣＤ１８に代えてサブＬＣＤ２２がオン状態となり、動画像信号が反転処理に代えて非反転処理を施される。さらに、ステレオマイク２４ａのチャネル割り当てが左チャネルから右チャネルに切り換えられ、ステレオマイク２４ｂのチャネル割り当てが右チャネルから左チャネルに切り換えられる。  【効果】  オペレータは、ＣＣＤカメラ２６が撮像する方向にとって正しい音声を録音することができる。  【選択図】  図１
2005184060.tif 000002
【特許請求の範囲】
【請求項１】
複数のキーが設けられた第１ケース、
常に露出するステレオマイクおよび撮像装置が設けられ、第１状態で前記複数のキーの少なくとも一部を覆いかつ第２状態で前記複数のキーの全てを露出させる第２ケース、
前記複数のキーのうち露出するキーが操作されたとき前記撮像装置および前記ステレオマイクによってそれぞれ捉えられた被写界像および音声を記録媒体に記録する記録手段、
前記被写界像の上下関係を前記第２ケースの状態遷移に従って切り換える第１切換手段、および
前記ステレオマイクのチャネル割り当てを前記第２ケースの状態遷移に従って切り換える第２切換手段を備える、電子カメラ。
【請求項２】
前記第２ケースの外面に設けられた第１表示装置、
前記第２ケースの内面に設けられた第２表示装置、
前記第２ケースが前記第１状態のとき前記第１表示装置を起動し、前記第２ケースが前記第２状態のとき前記第２表示装置を起動する起動制御手段、および
前記撮像装置によって捉えられた被写界像を前記起動制御手段によって起動された表示装置に出力する出力手段をさらに備える、請求項１記載の電子カメラ。
【発明の詳細な説明】
【技術分野】
【０００１】
本発明は、電子カメラに関し、特にたとえば折りたたみ式の携帯電話機に適用され、撮像装置およびステレオマイクにそれぞれ取り込まれた被写界像および音声を記録媒体に記録する、電子カメラに関する。
【背景技術】
【０００２】
従来のこの種の電子カメラの一例が、特許文献１に開示されている。この従来技術によれば、表示部にステレオマイクを有し、表示部の開閉／回転状態とカメラ部の回転状態とに基づいてステレオマイクのチャネル割り当ておよび撮像面の上下関係が変更される。
【特許文献１】特開２００２−１２３３３３［Ｇ０６Ｆ／１／１６，Ｈ０４Ｎ５／２３２，Ｈ０４Ｒ５／０２７，Ｈ０４Ｎ５／６４］
【発明の開示】
【発明が解決しようとする課題】
【０００３】
しかし、従来技術では、表示部の開閉／回転に加えてカメラ部の回転も必要であるため、操作が面倒である。
【０００４】
それゆえに、この発明の主たる目的は、簡単な操作で被写界像および音声を適切に記録できる、電子カメラを提供することである。
【課題を解決するための手段】
【０００５】
請求項１の発明に従う電子カメラは、複数のキーが設けられた第１ケース、常に露出するステレオマイクおよび撮像装置が設けられ、第１状態で複数のキーの少なくとも一部を覆いかつ第２状態で複数のキーの全てを露出させる第２ケース、複数のキーのうち露出するキーが操作されたとき撮像装置およびステレオマイクによってそれぞれ捉えられた被写界像および音声を記録媒体に記録する記録手段、被写界像の上下関係を第２ケースの状態遷移に従って切り換える第１切換手段、およびステレオマイクのチャネル割り当てを第２ケースの状態遷移に従って切り換える第２切換手段を備える。
【０００６】
第１ケースには複数のキーが設けられ、第２ケースには常に露出するステレオマイクおよび撮像装置が設けられる。第２ケースは、第１状態で複数のキーの少なくとも一部を覆い、第２状態で複数のキーの全てを露出させる。複数のキーのうち露出するキーが操作されると、撮像装置およびステレオマイクによってそれぞれ捉えられた被写界像および音声が、記録手段によって記録媒体に記録される。第１切換手段は、被写界像の上下関係を第２ケースの状態遷移に従って切り換え、第２切換手段は、ステレオマイクのチャネル割り当てを第２ケースの状態遷移に従って切り換える。
【０００７】
被写界像および音声の記録動作は、第２ケースの状態遷移に関係なく実行される。ただし、被写界像の上下関係およびステレオマイクのチャネル割り当ては、第２ケースの状態遷移に従って切り換えられる。被写界像および音声を適切に記録媒体に記録される。
【０００８】
請求項２の発明に従う電子カメラは、請求項１に従属し、第２ケースの外面に設けられた第１表示装置、第２ケースの内面に設けられた第２表示装置、第２ケースが第１状態のとき第１表示装置を起動し、第２ケースが第２状態のとき第２表示装置を起動する起動制御手段、および撮像装置によって捉えられた被写界像を起動制御手段によって起動された表示装置に出力する出力手段をさらに備える。
【０００９】
したがって、第１状態で撮像装置をオペレータ側に向けたときは、オペレータの自画像が第１表示装置に表示され、第２状態で撮像装置を任意の方向に向けたときは、撮像装置によって捉えられた画像が第２表示装置に表示される。
【発明の効果】
【００１０】
この発明によれば、第２ケースの状態遷移に従って被写界像の上下関係およびステレオマイクのチャネル割り当てを切り換えるようにしたため、簡単な操作で被写界像および音声を適切に記録媒体に記録することができる。
【００１１】
この発明の上述の目的、その他の目的、特徴および利点は、図面を参照して行う以下の実施例の詳細な説明から一層明らかとなろう。
【発明を実施するための最良の形態】
【００１２】
図１（Ａ）〜図１（Ｃ）を参照して、この実施例の携帯端末機１０は、蓋体ケース１２および本体ケース１４を含む。蓋体ケース１２および本体ケース１４はヒンジ機構２０によって互いに連結され、開閉動作が可能である。図１（Ａ）および図１（Ｂ）が閉状態を示し、図１（Ｃ）が開状態を示す。なお本体ケース１４には、アンテナ１６が突設される。本体ケース１４の内面（閉状態で内側になる面）および側面には、キー入力装置３４が設けられる。キー入力装置３４は、電源のオン／オフおよび通話の終了のための電源／オンフックボタン３４ａと、通話を開始するためのオフフックボタン３４ｂと、テンキーやファンクションキーを含む操作キー群３４ｃと、カメラ機能が選択されたときに有効化されるシャッタボタン３４ｄとが設けられる。
【００１３】
電源／オンフックボタン３４ａ，オフフックボタン３４ｂおよび操作キー群３４ｃは、内面に設けられ、閉状態のときに蓋体ケース１２によって覆われる一方、開状態のときに露出する。シャッタボタン３４ｄは、側面に設けられ、開状態および閉状態に関係なく露出する。
【００１４】
蓋体ケース１２の内面には、情報表示のためのメインＬＣＤモニタ１８（第１表示部）が設けられる。蓋体ケース１２の外面には、情報表示のためのサブＬＣＤモニタ２２（第２表示部）と、被写体を撮影するためのＣＣＤカメラ２６とが設けられる。ＣＣＤカメラ２６は、サブＬＣＤモニタ２２が向く方向の被写界を撮像する。また、蓋体ケース１２の内面には凸状の加圧ピン３０が設けられ、本体ケース１４の内面には閉状態で加圧ピン３０によって押圧される感圧スイッチ３２が設けられる。この加圧ピン３０および感圧スイッチ３２によって、現時点の状態が開状態および閉状態のいずれであるが開閉センサ５２（図２参照）によって検知される。
【００１５】
開状態が検知されると、メインＬＣＤモニタ１８がオンされ、サブＬＣＤモニタ２２がオフされる。閉状態が検知されると、サブＬＣＤモニタ２２がオンされ、メインＬＣＤモニタ１８がオフされる。また蓋体ケース１２の閉状態であるときの外側からなる面（背面部）には、２つのステレオマイク２４ａおよび２４ｂが横並びで配置される。開閉状態が変化したことが検知されると、ステレオマイク２４ａおよび２４ｂのチャネル割り当てが反転する。
【００１６】
携帯電話機１０の内部構成を図２に示す。キー入力装置３４によって通話のための発呼操作が行われると、ＣＰＵ５８は、信号処理回路６０，無線回路４２およびアンテナ１６を通して発呼信号を相手方の携帯電話機１０に送信する。これに対して、相手方が着呼操作を行うと、通話可能状態となる。
【００１７】
通話可能状態となった後にマイクロフォン３８に音声が入力されると、この音声は、マイクロフォン３８によってアナログ信号である音声信号に変換される。変換された音声信号は、アンプ５０によって増幅され、ＡＤ／ＤＡ変換回路４６によってディジタル信号である音声データに変換される。変換された音声データは、信号処理回路４４によって符号化処理を施され、さらに無線回路４２によって変調処理を施される。無線回路４２によって生成された変調音声データは、アンテナ１６から発信される。
【００１８】
一方、相手から送られてきた変調音声データは、アンテナ１６によって受信され、無線回路４２によって復調処理を施されるとともに、信号処理４４によって復号処理を施される。信号処理回路４４によって復号された音声データは、ＡＤ／ＤＡ変換回路４６によってアナログ信号である音声信号に変換され、変換された音声信号は、アンプ４８を介してスピーカ３６から出力される。
【００１９】
このようにして相手方との間で通話が行われている最中に、キー入力装置３４によって通話終了操作が行われると、ＣＰＵ５８は、信号処理回路４４よび無線回路４２を制御して、相手方に通話終了信号を送信する。通話終了信号の送信後、ＣＰＵ５８は、通話処理を終了する。先に相手方から通話終了信号を受信した場合も、ＣＰＵ５８は、通話処理を終了する。
【００２０】
ＣＰＵ５８は、蓋体ケース１２の開状態が開閉センサ５２によって検知されたとき端子Ｗ０を端子Ｗ１と接続し、蓋体ケース１２の閉状態が開閉センサ５２によって検知されたとき端子Ｗ０を端子Ｗ２と接続する。これによって、上述のように、開状態でメインＬＣＤモニタ１８がオンされ、閉状態でサブＬＣＤ２２がオンされる。
【００２１】
キー入力装置３４によってカメラモードが選択されると、ＣＰＵ５８は、端子Ｓ０を端子Ｓ１と接続する。ＣＰＵ５８はまた、スイッチ回路６２にチャネル割り当てを設定し、カメラ処理回路７０に被写界像の上下関係を設定する。具体的には、閉状態では、スイッチ回路６２の端子Ｒ０およびＬ０を端子Ｒ２およびＬ２にそれぞれ接続し、カメラ処理回路７０に画像信号の非反転処理を命令する。一方、開状態では、スイッチ回路６２の端子Ｒ０およびＬ０を端子Ｒ１およびＬ１にそれぞれ接続し、カメラ処理回路７０に画像信号の反転処理を命令する。
【００２２】
カメラ処理回路７０は、撮影された被写界の動画像信号に非反転処理または反転処理を施す。非反転処理が命令されたとき、動画像信号はそのまま端子Ｓ１に出力され、反転処理が命令されたとき、入力された動画像信号は画像の上下関係が反転された状態で端子Ｓ１に出力される。動画像信号はその後、端子Ｓ０およびＷ０を経てオン状態のＬＣＤモニタに与えられる。この結果、被写界のリアルタイム動画像（スルー画像）が、オン状態のＬＣＤモニタに表示される。
【００２３】
操作キー群３４ｃまたはシャッタボタン３４ｄによって記録開始操作が行われると、ＣＰＵ５８は、記録処理を実行するべく、対応する命令を信号処理回路６０，カメラ処理回路７０および記録処理回路６６に与える。
【００２４】
信号処理回路６０は、スイッチ回路６２から出力された音声信号にＭＰＥＧオーディオ符号化を施し、ＭＰＥＧオーディオデータを生成する。カメラ処理回路７０は、非反転処理または反転処理を施された動画像信号にＭＰＥＧビデオ符号化を施し、ＭＰＥＧビデオデータを生成する。記録処理回路６６は、こうして生成されたＭＰＥＧオーディオデータおよびＭＰＥＧビデオデータを、ＭＰＥＧファイル形式でメモリカード６４に記録する。
【００２５】
操作キー群３４ｃまたはシャッタボタン３４ｄによって記録終了操作が行われると、ＣＰＵ５８は、終了処理を実行するべく、対応する命令を信号処理回路６０，カメラ処理回路７０および記録処理回路６６に与える。信号処理回路６０はＭＰＥＧオーディオ符号化を終了し、カメラ処理回路７０はＭＰＥＧビデオ符号化を終了し、記録処理回路６６は記録動作を終了する。
【００２６】
ＣＰＵ５８は、カメラモードに関して、図３に示すスイッチ制御タスク、図４に示すカメラタスクを実行する。つまり、ＣＰＵ５８はμＩＴＲＯＮのようなマルチタスクＯＳを搭載したマルチタスクＣＰＵであり、これらのタスクを並列的に実行する。なお、これらのタスクは、フラッシュメモリ５６に記憶される。
【００２７】
まず図３を参照して、ステップＳ１では、カメラモードが選択されているか否か判別する。ここでＹＥＳであればステップＳ３で端子Ｓ０を端子Ｓ１に接続し、ステップＳ７に進む。ＮＯと判別されたときは、ステップＳ５で端子Ｓ０を端子Ｓ１に接続し、ステップＳ１に戻る。
【００２８】
ステップＳ７では、蓋体ケース１２が開状態であるか否かを判別する。ここでＹＥＳであれば、ステップＳ９で端子Ｗ０を端子Ｗ１を接続し、カメラ処理回路７０に反転処理を命令する。ステップＳ７でＮＯと判別されたときは、ステップＳ９で端子Ｗ０を端子Ｗ２を接続し、カメラ処理回路７０に非反転処理を命令する。ステップＳ１１またはＳ１５の処理が完了すると、ステップＳ１に戻る。
【００２９】
図４を参照して、ステップＳ２１ではスルー画像をオン状態のＬＣＤモニタに表示するべく、ＣＣＤカメラ２６およびカメラ処理回路７０を起動する。ステップＳ２３では記録開始操作の有無を判別し、ＹＥＳであればステップＳ２５では記録処理を実行する。これによって、ＭＰＥＧファイルの作成が開始される。ステップＳ２７では記録終了操作の有無を判別し、ＮＯであればステップＳ２５に戻る一方、ＹＥＳであればステップＳ２９における終了処理を経てステップＳ２３に戻る。
【００３０】
したがって、オペレータが開状態で被写界の動画像を撮像している最中に、オペレータ自身の動画像を撮るために蓋体ケースを閉状態に遷移させると、メインＬＣＤ１８に代えてサブＬＣＤ２２がオン状態となり、動画像信号が反転処理に代えて非反転処理を施される。さらに、ステレオマイク２４ａのチャネル割り当てが左チャネルから右チャネルに切り換えられ、ステレオマイク２４ｂのチャネル割り当てが右チャネルから左チャネルに切り換えられる。したがって、オペレータは、ＣＣＤカメラ２６が撮像する方向にとって正しい音声を録音することができる。
【図面の簡単な説明】
【００３１】
【図１】本発明の一実施例を示す概略図であり、（Ａ）は閉状態の背面図、（Ｂ）は閉状態の側  面図、（Ｃ）は開状態の正面図である。
【図２】実施例に適用される携帯端末機の構成の一例を示すブロック図である。
【図３】実施例に適用されるＣＰＵの動作の一部を示すフロー図である。
【図４】実施例に適用されるＣＰＵの動作の他の一部を示すフロー図である。
【符号の説明】
【００３２】
１０    …  携帯端末機
１４    …  本体ケース
１２    …  蓋体ケース
１８    …  メインＬＣＤ
２０    …  ヒンジ部
２２    …  サブＬＣＤ
２４ａ  …  マイクロフォン
２４ｂ  …  マイクロフォン
２６    …  ＣＣＤカメラ
【図１】
2005184060.tif 000003
【図２】
2005184060.tif 000004
【図３】
2005184060.tif 000005
【図４】
2005184060.tif 000006